【手続補正書】
【提出日】平成20年9月18日(2008.9.18)
【手続補正１】
【補正対象書類名】明細書
【補正対象項目名】全文
【補正方法】変更
【補正の内容】
【書類名】            明細書
【発明の名称】        ファクシミリにおける送信用原稿と送信済み原稿との識別方法装置
【特許請求の範囲】
【請求項１】  ファクシミリにおける送信用の原稿と送信済み又は送信操作済みとする原稿とを識別する方法手段において、ファクシミリに備える所定の送信及び受信各機能を妨げ又は損なうことなく、送信操作済み原稿が識別可能とする表示機能をファクシミリ本体に設けたことを特徴とするファクシミリにおける送信用原稿と送信済み原稿との識別方法装置。
【請求項２】  ファクシミリに備える所定の送信及び受信各機能を妨げ又は損なうことなく、該送信機能回路にフイードバック機能を付加し、原稿送信操作完了後に送信元ファクシミリで、該送信文のコピーができるようにしたことを特徴とする請求項１記載のファクシミリにおける送信用原稿と送信済み原稿との識別方法装置。
【請求項３】  ファクシミリにおける原稿送りローラの所定機能及び読み取り機能などを妨げ又は損なうことなく、送信操作完了の原稿自体に送信操作済みとする表示ができるようにしたことを特徴とする請求項１記載のファクシミリにおける送信用原稿と送信済み原稿との識別方法装置。
【請求項４】  上記の送信操作完了の原稿自体に送信操作済みとする表示機能に、ファクシミリ本体の操作パネルの所定位置に原稿送りローラの所定機能及び読み取り機能などを妨げ又は損なうことなく、該送信操作完了原稿の裏側面に所定のマーキングができる機能装置を設けたことを特徴とする請求項１又は３記載のファクシミリにおける送信用原稿と送信済み原稿との識別方法装置。
【発明の詳細な説明】
【０００１】
【発明が属する技術分野】
本発明は、ファクシミリで送信用とする原稿と送信済み又は送信操作済みとする原稿とを識別可能とするための表示機能を備える、ファクシミリにおける送信用原稿と送信済み原稿との識別方法装置に関するものである。
【０００２】
【従来の技術】
ファクシミリは、企業における業務用にとどまらず一般家庭及び個人間での手書きなどによる有効な連絡及びコミュニケーション手段としてその容易性と利便性から現在日常生活に欠かせない生活必需品の一部として広く実用に供されている。
【０００３】
しかし、送信及び受信などに多機能性が付加される反面、例えば送信原稿が手元に残ることで、送信原稿の内容が確認できる利便性の一面があるとしても、時には送信済みの原稿と送信用とする原稿との区別が曖昧になってしまうということがあった。これを防止するため、送信完了の原稿には（済み）とするスタンプなどを利用し区別するのであるが、忙しさと又煩わしさとともについ押し忘れのこともあって判別がつかないこともあって再送信をしたり、又電話などで問い合わせるなど間の悪い思いをする苦い体験もあった。
更に、受信時のプリントは機能は正常であり、こちらからの送信操作にもエラーメッセージがディスプレイ表示されないにもかかわらず、相手先の記録紙には黒一色のプリントで受信側にとっては送信者が皆目判らないという、しかも送信側も気がつかないという最悪のトラブルもあった。
【０００４】
【発明が解決しようとする課題】
解決しようとする問題点は、ファクシミリにおいて手元に残る送信済み又は送信操作済みとする原稿と送信用とする原稿との識別及び送信原稿が正常に読み取られ相手方に送信されたかが、送信元のファクシミリにおいて確認を可能とする表示機能がない点である。
【０００５】
【課題を解決するための手段】
本発明は、ファクシミリにおいて手元に残る送信済み又は送信操作済みとする原稿と送信用とする原稿との識別ができるようにするため、ファクシミリの送信及び受信機能を妨げ又は損なうことなく、該送信回路にフイードバック機能をプログラミングし、原稿の送信操作完了後直ちに該送信済文を送信元のファクシミリでのプリント（コピー）を可能とし、送信済みであることを再確認可能とする機能、又は、送信操作完了の原稿自体に送信済みとするマーキングを可能とする機能、などを備えることを最も主要な特徴とする。
【０００６】
【発明の実施の形態】
送信回路にフイードバック機能をプログラミングすることで可能とするファクシミリ送信操作において、原稿の送信操作完了後直ちに該送信元ファクシミリでプリント（コピー）された送信済み文を、手元に残る送信済みとする原稿に貼付することで送信用の原稿と区別し、又は、簡易なマーキング機能として手元に残る送信操作完了の原稿自体に送信済みとする所定のマーキングにより送信用の原稿とを識別し、明確な区別ができるという所望の目的を実現した。
【０００７】
【実施例】
本発明装置における送信操作完了原稿に識別用のマーキングする方法装置で、送信操作完了原稿に識別用のマーキングするためマーカー部が収納されるマーカー・ケースを操作パネルの所定位置に装置し、操作パネルの裏側面にマーカー部先端を突出させる一実施例のもので、図１は操作パネルの所定位置にマーカー・ケースを設けるファクシミリの外観を示す斜視図で、図２は操作パネルの裏側面に貫通するマーカー部先端部分を示す斜視図である。
本発明装置における送信操作完了後直ちに送信元ファクシミリで該送信文をプリント（コピー）可能とする方法装置の一実施例で、図３はファクシミリ本体における送信及び受信の所要回路にプログラミングされたフィードバック機能を示す説明図である。
以下図面に基づき、それぞれの実施例について詳細に説明する。
【０００８】
マーカー部３’を収納するマーカー・ケース３は、ファクシミリにおける操作パネル１の所定位置に該ファクシミリの備える所定機能を妨げ又は損なうことなく固定取り付けされ、操作パネル１の裏側面に貫通させたマーカー部３’の先端部分の若干寸法を突出させている。
【０００９】
マーカー部３’は、ファクシミリに備えられる原稿読み取り機構が読み取ることができない色調などから成るマーキング材を有し、マーカー・ケース３内に備えられるばね力などにより常に所定圧力で、セットされた送信用の原稿２の裏紙面に該マーキング材先端が当接するように設定され、ファクシミリに備えられる原稿送り機能及び読み取り機能などを妨げ又は損なうことなく、送信用の原稿２のセット時及び送信スタートで送り移動される送信完了の原稿２の裏紙面に所定のマーキングができるようになされている。
【００１０】
これにより、送信用の原稿２が引き込まれるセット時及び送信スタートで送り移動される送信完了の原稿２の裏面に、固定のマーカー部３’のマーキング材によってライン状のマーキングがなされることで、送信済み又は送信操作済みとする原稿２の識別ができるものである。
【００１１】
図３は、ファクシミリ本体４内に装置される送信機能回路５と受信機能回路６の所要回路に、所定の各機能を妨げ又は損なうことなくフィードバック機能をプログラミングし、例えば原稿送信操作完了後直ちに該送信文が送信元ファクシミリでプリント（コピー）されるようになされている。
その際、該プリント（コピー）操作は受信用とする記録紙によってなされるように設定されるので、相手先の記録紙には黒一色といったような信じがたいハプニング・トラブル経験は回避できかつ容易に送信済・未送信が識別できるものである。
【００１２】
なお、本発明装置は上記実施例などに限定されなければならない理由はなく、例えばファクシミリにおける送信用の原稿と送信済み又は送信操作済みとする原稿とを識別する方法手段において、送信回路にフイードバック機能をプログラミングすることで送信元ファクシミリで可能とする該送信済み文のプリント（コピー）機能や送信操作済みの原稿自体にマーキング可能とする機能構成などが他の形状構成のものであっても、送信用とする原稿と送信済み又は送信操作済みとする原稿とを、該送信元のファクシミリで識別できる表示機能が上記記載の各条件を具備するものであれば良いということはいうまでもない。
【００１３】
【発明の効果】
以上説明した本発明のファクシミリにおける送信用の原稿と送信済み原稿との識別方法装置について、次に記載する効果を奏する。
【００１４】
請求項1の送信済み又は送信操作済みの原稿が識別可能とする表示機能を、送信及び受信機能を妨げ又は損なうことなくファクシミリ本体に付加したことは、手元に残る送信済み又は送信操作済みの原稿にいちいち（済み）印を付ける煩わしさを解消し、かつ送信用とする原稿と確実に区別できるという利便性に優れている。
【００１５】
請求項２の送信及び受信機能を妨げ又は損なうことなく該送信機能回路にフィードバック機能をプログラミングし、原稿の送信完了後直ちに、送信元ファクシミリで該送信済み文のプリント（コピー）ができるようにしたことは、送信完了原稿の送信結果を確認でき、かつ該プリント（コピー）を送信済みの原稿に貼付することで、送信用の原稿との区別を明確にできるという大きな利点がある。
【００１６】
請求項３の操作パネルの所定位置に、ファクシミリに備える原稿送り機構又は読み取り機能を妨げ又は損なうことなく、該送信完了の原稿自体に送信済みとする表示ができるようにしたことは、送信用の原稿との区別を直ちに明確にできるという利便性に優れている。
【００１７】
請求項４の操作パネルの所定位置に、ファクシミリに備える原稿送り機構又は読み取り機能を妨げ又は損なうことなく、該送信完了又は送信操作済み原稿の裏面に所定のマーキングができる機能装置を設けたことは、送信用の原稿との区別を、直ちにして最も簡易な手段で、明確な識別を可能にしたという利便性に優れている。
【図面の簡単な説明】
【図１】
本発明の一実施例において、送信用の原稿２をセットする操作パネル１の所定位置に設けられるマーカー・ケース３の状態を示すファクシミリの全体斜視図である。
【図２】
操作パネル１の裏側面に貫通したマーカー部３’の先端部分の状態を示す斜視図である。
【図３】
本発明の一実施例において、ファクシミリ本体４の所要回路にフィードバック機能をフログラミングした説明図である。
【符号の説明】
１    操作パネル
２    原稿
３    マーカー・ケース
３’  マーカー部
４    ファクシミリ本体
５    送信機能回路
６    受信機能回路
７    フィードバック・システム
【手続補正２】
【補正対象書類名】図面
【補正対象項目名】図３
【補正方法】追加
【補正の内容】
【図３】
2003101708.tif 000001